(57)【特許請求の範囲】
【請求項１】
缶・びん類が落下しない目開きで移送方向に平行に複数の棒または縦板を並べて篩面が形成されており、新聞・雑誌類の混入した缶・びん類が投入されることにより、缶・びん類は篩上として篩別され、新聞・雑誌類は篩下として排除されるようにし、新聞・雑誌類の混入した缶・びん類が投入される投入面から前記篩面にかけての直上方に、傾斜板が所定の間隔の前記棒または前記縦板毎に移送方向に平行に設けられており、新聞・雑誌類が前記傾斜板上を滑落することにより、新聞・雑誌類の面が移送方向に平行とされることを特徴とする缶・びん類選別用振動篩。
【請求項２】
前記投入面から前記篩面にかけての直上方に、少なくとも上表面を側方へ向かう傾斜板状とされた垂直化ガイド部材が所定の間隔の前記棒または前記縦板毎に移送方向に平行に、かつ垂直に設けられており、新聞・雑誌類が前記垂直化ガイド部材に導かれて、新聞・雑誌類の面が移送方向に平行に、かつ垂直方向に向けられ、前記目開きから落下し易くされている請求項１に記載の缶・びん類選別用振動篩。
【請求項３】
前記傾斜板が前記垂直化ガイド部材の上端部に一体的に形成されている請求項１に記載の缶・びん類選別用振動篩。
【請求項４】
前記傾斜板または前記垂直化ガイド部材の上端面の途中に下方への段差が形成されており、前記傾斜板または前記垂直化ガイド部材の前記上端面に跨がって移送される新聞・雑誌類が前記段差において両側方への重量バランスを失い、一側方へ落下するようにされている請求項1から請求項3までの何れかに記載の缶・びん類選別用振動篩。
【請求項５】
缶・びん類が落下しない目開きで移送方向に平行に複数の棒または縦板を並べて篩面が形成されており、新聞・雑誌類の混入した缶・びん類が投入されることにより、缶・びん類は篩上として篩別され、新聞・雑誌類は篩下として排除されるようにし、缶・びん類が落下しないでかつ移送できる間隙をあけて上流側篩面と下流側篩面とが移送方向に配列され、かつ前記上流側の前記棒または前記縦板の下流端部の目開きの中央に前記下流側の前記棒または前記縦板の上端部が位置するようにして、前記上流側篩面と前記下流側篩面とが移送方向に直角の方向へ半目開き分ずらされており、前記上流側篩面の前記棒または前記縦板の上端面に跨がって移送される新聞・雑誌類が前記上流側篩面と下流側篩面の間の前記間隙において、前記下流側篩面の前記棒または前記縦板の上端面へ移行し得ずに落下して排除されるようにし、かつ前記上流側篩面の前記棒または前記縦板の目開き上を移送される缶・びん類が前記上流側篩面と下流側篩面の間の前記間隙において、前記目開きの一側方をあけたことにより移送方向に対して直角の方向へ半目開き分ずらされて、前記下流側の前記棒または前記縦板の目開き上へ移送されるように導かれることを特徴とする缶・びん類選別用振動篩。
【請求項６】
前記上流側篩面と前記下流側篩面との間に下方への段差が設けられており、前記上流側篩面の前記棒または前記縦板の間に胴部の一部を沈めて移送される缶・びん類が前記上流側篩面から移送方向と直角の方向へ半目開き分ずらされている前記下流側篩面へ移行する時に、沈んでいる前記胴部の一部が前記下流側篩面の前記棒または前記縦板と衝突することなく円滑に移行される請求項５に記載の缶・びん類選別用振動篩。
【請求項７】
前記上流側篩面の前記目開きと、それに続く半目開き分ずらされた前記下流側篩面の前記目開きとの間において、前記上流側篩面の１個の前記目開きを形成する両側の前記棒または前記縦板の下流端と、前記目開きの中央にある前記下流側篩面の前記棒または前記縦板を挟む位置にある両側の前記棒または前記縦板の上流端とが移送方向と斜交する連結材によって連結されており、前記上流側篩面の前記目開き上を移送されてくる缶・びん類が前記連結材に導かれて、半目開き分ずらされた前記下流側篩面の前記目開き上へ円滑に移行される請求項５に記載の缶・びん類選別用振動篩。
【発明の詳細な説明】
【０００１】
【発明の属する技術分野】
【０００２】
本発明はリサイクル可能な'ごみ'として回収されてくる缶・びん類に混入している新聞・雑誌類を排除し缶・びん類を選別するための振動篩に関するものである。
【従来の技術】
【０００３】
'ごみ'の中でもビール缶、ジュース缶やガラスびん、ＰＥＴボトルなどの缶・びん類はリサイクルが可能であるために専用の回収ボックスを設けるなどして選別収集されているが、特に公共の場から回収される缶・びん類の中には新聞・雑誌類の混入している場合が多く、リサイクル工程に支障をもたらしている。しかし、現在のところ、これに対して適切な手段が無く、人手による除去が行なわれている。
【０００４】
【発明が解決しようとする課題】
従って、本発明は新聞・雑誌類が混入している缶・びん類から新聞・雑誌類を効率よく排除し得る缶・びん類選別用振動篩を提供することを課題とする。
【０００５】
【課題を解決するための手段】
上記課題は請求項１又は請求項5の構成によって解決されるが、その解決手段を実施の形態によって例示すれば、図１は缶・びん類選別用振動篩１の斜視図であり、図２はその部分破断側面図、図3は平面図である。缶・びん類選別用振動篩１は本体１１の両側の側壁１４の外面に振動電動機１５を対称的に取り付けられ、本体１１内には投入面３１に続いて、複数の丸棒４２を缶Ｃ・びんＢ類は落下しない目開きで移送方向に平行に並べた上流側篩面４１と、その下流側に缶Ｃ・びんＢ類は落下しないで移送できるように適当な幅の移送方向の間隙６０において目開きの一側方をあけて移送方向に直角の方向へ導き、かつ上流側篩面４１の丸棒４２に対して半目開き分だけ移送方向に直角の方向へずらせて接続された、複数の丸棒5２を缶Ｃ・びんＢ類は落下しない目開きで移送方向に平行に並べた下流側篩面５１とが形成されている。
【０００６】
そして、新聞Ｐ・雑誌Ｍ類の混入した缶Ｃ・びんＢ類は本体１１の投入面３１に投入され、矢印ｐで示す方向へ移送されるなかで、缶Ｃ・びんＢ類は上流側篩面４１から下流側篩面５１へ移送され、その下流端から篩上として排出される。この間、新聞Ｐ・雑誌Ｍ類は上流側篩面４１、下流側篩面５１から下方へ落下し篩下として排除される。このようにして、缶Ｃ・びんＢ類が選別される。
【０００７】
【発明の実施の形態】
以下、実施の形態による本発明の缶・びん類選別用振動篩について、図面を参照して具体的に説明する。
【０００８】
図1は実施の形態の缶・びん類選別用振動篩１の斜視図であり、図２は同部分破断側面図、図３は同平面図、図4は同正面図である。
【０００９】
缶・びん類選別用振動篩１は、図1~図４を参照して、床面に固定されたフレーム１８の支柱１７にコイルバネ１６を介して本体１１の前後が支持されており、本体の要所はリブ１２Ｒ、アングル材１２Ａで補強されている。本体１１の両側の側壁１４の外面には振動電動機１５が対称的に所定の傾斜角度で取り付けられている。振動電動機１５は回転軸の両端部に不平衡重錘を備えた公知の構造を有し、両側壁１４の振動電動機１５の回転軸が同期して反対方向へ回転されることにより、両者の回転の遠心力が合成されて本体１１に矢印ｍで示す方向の直線振動を与え、本体１１内へ投入される缶Ｃ・びんＢ類を矢印ｐで示す方向へ移送する。
【００１０】
本体１１内には、両側壁１４の上端面から下がった高さ位置に新聞Ｐ・雑誌Ｍ類の混入した缶Ｃ、びんＢ類が投入される投入面３１が形成されており、これに続いて複数の丸棒４２を缶Ｃ・びんＢ類が落下しない目開きで移送方向に並べた上流側篩面４１が接続されている。すなわち、両側壁１４間の幅８００ｍｍを等分して１３本の丸棒４２を移送方向に平行に並べて上流側篩面４１が形成されており、丸棒４２は両側壁１４間に渡したパイプ４３の外周面に等間隔で固定された先細り三角形の垂直支持板４４に溶接され支持されている。
【００１１】
更には、投入面３１から上流側篩面４１にかけて、側壁１４から３番目毎の目開きに対応する位置に、上端部に傾斜板４５ａまたは４５ｂが一体的に形成された垂直化ガイド部材４７が設けられ、投入面３１にボルト４７ｂで固定されている。上方から投入される新聞Ｐ・雑誌Ｍ類の面を移送方向と平行に、かつ垂直方向に向けさせ上流側篩面４１から落下し易くさせるためのものである。また、傾斜板４５ａ、４５ｂの上端面には、それぞれ下方への段差４６ａまたは段差４６ｂが形成されている。例えば、傾斜板４５ａに跨がる新聞Ｐ・雑誌Ｍ類がある場合、それらは段差４６ａに至ると両側方への重量バランスが崩れて側壁１４側へ辷り落ちる。
【００１２】
続いて、上流側篩面４１と下流側篩面５１との間に缶Ｃ・びんＢ類が落下しないでかつ移送できる間隙６０において目開きの一側方をあけ移送方向に直角の方向へ導き、さらに上流側篩面４１から下方への段差４８を設けて、上流側篩面４１と同様に、丸棒５２で形成された下流側篩面５１が取り付けられている。ここで、下流側篩面５１の丸棒５２は上流側篩面４１の丸棒４２に対し半目開き分ずらして並べられている。すなわち、両側壁１４および上流側の１３本の丸棒４２による目開きのそれぞれの中央に位置させた１４本の丸棒５２を移送方向に平行に並べて下流側篩面５１が形成されており、丸棒５２は両側壁１４間に渡したパイプ５３の外周面に等間隔で、上流側の垂直支持板４４とは逆向きに固定された先細り三角形の垂直支持板５４に溶接され支持されている。当然のことながら丸棒５２間は缶Ｃ・びんＢ類が落下しない目開きとなっている。丸棒４２と丸棒５２とを半目開き分ずらせているのは、丸棒４２に跨がって移送される新聞Ｐ・雑誌Ｍ類がある場合、その新聞Ｐ・雑誌Ｍ類を丸棒５２へ乗り移らせず、下方へ落下させるためである。
【００１３】
また、上流側篩面４１の下流端と下流側篩面５１の上流端との間に下方への段差４８を設けているのは、軸心を移送方向に向けて配向している缶Ｃ・びんＢ類は上流側篩面４１上において胴部の一部を丸棒４２間に沈めているが、上流側篩面４１から下流側篩面５１へ移行する時に、その沈んでいる胴部が丸棒４２の中間にある丸棒５２に衝突しないようにするためである。さらに、側壁１４から３本目毎の丸棒５２を挟む位置にある上流側の２本の丸棒は、上流側篩を形成する丸棒４２である直線部分と直線部分の下流端部から屈曲し移送方向と所定の角度で傾斜する短い連結材とからなる連結丸棒４２Ｔであるが、その連結材の下流端と側壁１４から３本目毎の丸棒５２の両側の２本の間隔６１だけ若干短くされた丸棒５２の上流端とが連結（図1、図3では、連結線は省略されている）され、この連結丸棒４２Ｔの短い連結材が配向されている缶Ｃ・びんＢ類を上流側篩面４１から半目開き分だけ移送方向に直角の方向にずらせて配置されている下流側篩面５１へ円滑に移行させるためのガイドとして働く。
【００１４】
下流側篩面５１の下流端から下方への段差５８を付して缶Ｃ・びんＢ類の篩上排出用平板５９が設けられている。また、上流側篩面４１の下方には、篩下として排除される新聞Ｐ・雑誌Ｍ類を滑落させる斜面４９ａに続いて、上流側篩面４１と下流側篩面５１との接続箇所から下流側篩面５１の下方に位置して新聞Ｐ・雑誌Ｍ類の排除口４９が上下方向に形成されている。
【００１５】
本実施の形態の缶・びん類選別用振動篩１は以上のように構成されるが、次にその作用を説明する。
【００１６】
図１、図2を参照して、缶・びん類選別用振動篩１の振動電動機１５が起動され、本体１１は矢印ｍで示す方向に直線振動されているものとする。
【００１７】
図2の部分拡大図である図５、および図５における［６］−［６］線方向の断面図である図６を参照して、上流側の投入シュートＦから缶・びん類選別用振動篩１へ投入される新聞Ｐ・雑誌Ｍ類の混入した缶Ｃ・びんＢ類は傾斜板４５ａまたは４５ｂを備えた垂直化ガイド部材４７の間を通過して投入面３１に落下する。缶Ｃ・びんＢ類は直線振動を受けて投入面３１から上流側篩面４１へ移送される。新聞Ｐ・雑誌Ｍ類は傾斜板４５ａ、４５ｂに接触して移送され、垂直化ガイド部材４７に沿って落下する間にそれらの面を移送方向と平行に、かつ垂直方向に向けられて投入面３１から上流側篩面４１へ移送され、丸棒４２の目開きから落下して排除される。
【００１８】
また、新聞Ｐ・雑誌Ｍ類のなかには、傾斜板４５ａまたは４５ｂに引っ掛かり、それらの上端面に跨がって移送されるものを生じるが、上端面に形成されている段差４６ａまたは４６ｂに至ると、段差４６ａ、４６ｂの上流側と下流側とで上端面の位置が異なることから、両側方への重量バランスを失って、傾斜板４５ａ、４５ｂの傾斜の向きの関係から側壁１４側へ辷り落ち、上流側篩面４１の丸棒４２の目開きから落下する。
【００１９】
更には、上流側篩面４１の丸棒４２に引っ掛かり、丸棒４２に跨がって移送される新聞Ｐ・雑誌Ｍ類も生じるが、丸棒４２の下流端と下流側篩面５１の丸棒５２の上流端とは半目開き分だけ移送方向に直角にずらされ、さらに間隙６０と間隔６１があるために、丸棒５２へは移り得ずに丸棒４２の下流端から落下する。丸棒４２の一部は連結丸棒４２Ｔとして間隔６１だけ短くされた丸棒５２と連結されているが、連結丸棒４２Ｔの連結材部分は移送方向と傾斜しているので、跨がっている新聞Ｐ・雑誌Ｍ類もこの箇所において両側方への重量バランスを失い、下方へ辷り落ちる。上流側篩面４１ないしは下流側篩面５１からの篩下としての新聞Ｐ・雑誌Ｍ類は斜面４９ａを経由して、または直接に排除口４９へ落下し、図示しないコンベヤによって系外へ搬送される。
【００２０】
一方、直線振動を受けて投入面３１から上流側篩面４１へ移送される缶Ｃ・びんＢ類は軸心を移送方向に向け、胴部の一部を丸棒４２間に沈めて下流側へ目開き上を移送され、接続箇所を経て下流側篩面５１の目開き上へ移行される。この接続箇所において上流側篩面４１の丸棒４２と、下流側篩面５１の丸棒５２とは半目開き分だけ移送方向に直角にずらされているので、缶Ｃ・びんＢ類は上流側篩面４１の丸棒４２と下流側篩面５１の丸棒５２の間では移送方向に直角に半目開き分ずらして移送されなければならないが、缶Ｃ・びんＢ類が落下しない間隔６０により目開きの一側方をあけて移送方向に直角の方向へ導いており、さらに連結丸棒４２Tの連結材部分に導かれることにより、また丸棒４２間に沈んでいる缶Ｃ・びんＢ類の胴部の一部が丸棒５２と衝突しないよう上流側篩面４１と下流側篩面５１との間に段差４８が設けたことにより、缶Ｃ・びんＢ類の移送は円滑に進行する。そして、缶Ｃ・びんＢ類は下流側篩面５１の丸棒５２間に胴部の一部を沈めて下流端まで移送され、段差５８を経て篩上排出平板５９の下流端から排出される。缶・びん類選別用振動篩１へ投入される新聞Ｐ・雑誌Ｍ類の混入した缶Ｃ、びんＢ類はこのようにして新聞Ｐ・雑誌Ｍ類が排除され、缶Ｃ・びんＢ類が選別される。
【００２１】
以上、本発明の実施の形態について説明したが、勿論、本発明はこれに限られることなく、本発明の技術的精神に基づいて種々の変形が可能である。
【００２２】
例えば本実施の形態においては、篩面４１、篩面５１はそれぞれ丸棒４２、５２を平行に並べて形成させたが、丸棒以外のもの、例えば角棒を並べて篩面を形成させてもよく、また板材を垂直方向に立てて平行に並べて篩面としてもよい。
【００２３】
また本実施の形態においては、垂直化ガイド部材４７を側壁１４から３番目毎の目開きの上方に位置するように設けたが、これを板材として側壁１４から３本目毎の丸棒４２の上方に位置するように設けてもよい。この板材も投入面３１に固定されることは同様である。また、垂直化ガイド部材４７を設ける位置は適宜移動させてもよく、その数を増減させてもよいことは言うまでもない。
【００２４】
また本実施の形態においては、垂直化ガイド部材４７の上端部に一体的に取り付けられた傾斜板４５ａまたは４５ｂの上端面に、それぞれ１段の段差４６ａまたは４６ｂを設けたが、この段差を複数にして跨がって移送される新聞Ｐ・雑誌Ｍ類を更に落下させ易くしてもよい。また、傾斜板４５ａまたは４５ｂの下端部を丸棒４２の直上方に位置させて固定し、垂直化ガイド部材４７を省略してもよい。
【００２５】
また本実施の形態においては、上流側篩面４１の下流端と、下流側篩面５１の上流端とを複数の連結棒４２Ｔによって一定のパターンで連結して缶Ｃ・びんＢ類を上流側篩面４１から下流側篩面５１へ移行させるガイドとしたが、この連結パターンは適宜変形し得るし、場合によっては省略してもよい。
【００２６】
【発明の効果】
本発明は以上に説明したような形態で実施され、次に記載するような効果を奏する。
【００２７】
請求項1の缶・びん類選別用振動篩によれば、新聞・雑誌類が傾斜板上を滑落することにより、新聞・雑誌類の面が移送方向に平行となり、移送方向に平行に並べられた丸棒または縦板からなる篩面から落下し易くされ、缶・びん類に混入している新聞・雑誌類が篩下として丸棒または縦板を並べた篩面から排除され、缶・びん類が篩上として選別されて排出される。
【００２８】
請求項2の缶・びん類選別用振動篩によれば、垂直化ガイド部材によって新聞・雑誌類の面が移送方向と平行に、かつ垂直方向に向けられるので、篩面からの落下が促進される。
【００２９】
請求項3の缶・びん類選別用振動篩によれば、傾斜板による新聞・雑誌類の面の移送方向との平行化と、垂直化ガイド部材による新聞・雑誌類の面の垂直化とがコンパクトな同一の部材で達成される。
【００３０】
請求項4の缶・びん類選別用振動篩によれば、傾斜板または垂直化ガイド部材の上端面に跨がって移送される新聞・雑誌類は上端面の途中に形成された段差において一側方へ辷り落ちて篩面から下方へ排除される。
【００３１】
請求項5の缶・びん類選別用振動篩によれば、上流側篩面の丸棒または縦板の上端面に弘がって跨がって移送される新聞・雑誌類は、上流側篩面の丸棒下流端と下流側篩面間に設けた間隙で、半目開き分ずらされた下流側篩面の丸棒または縦板へ乗り移れず落下し、上流側篩面の下流端と下流側篩面の上流端との間に設けた間隙で目開きの一側方をあけて移送方向に直角の方向へ導いたことにより、上流側篩面の目開き上を移送される缶・びん類は半目開き分ずらされた下流側篩面の目開き上へ円滑に進行する。
【００３２】
請求項6の缶・びん類選別用振動篩によれば、上流側篩面の下流端と下流側篩面の上流端との間に設けた段差によって、上流側篩面の丸棒または縦板の目開きに胴部の一部を沈めて移送される缶・びん類が、下流側篩面へ移行する時にその胴部の一部が下流側篩面の丸棒または縦板に衝突しないので、移行が円滑に進行する。
【００３３】
請求項７の缶・びん類選別用振動篩によれば、上流側篩面の目開きと、それに続く半目開き分ずらされた下流側篩面の目開きとの間において、上流側篩面の棒または縦板の下流端と、下流側篩面の棒または縦板の上流端とが移送方向と斜交する連結材によって一定のパターンで連結されているので、上流側篩面の目開き上を移送されてくる缶・びん類が連結材に導かれて、半目開き分ずらされた下流側篩面の目開き上へ円滑に移行される。
【図面の簡単な説明】
【図１】実施の形態の缶・びん類選別用振動篩の斜視図である。
【図２】同部分破断側面図である。
【図３】同平面図である。
【図４】同正面図である。
【図５】実施の形態の缶・びん類選別用振動篩の作用を示す破断側面図である。
【図６】図5における［６］−［６］線方向の断面図である。
【符号の説明】
１ 缶・びん類選別用振動篩
１１ 本体
１４ 側壁
１５ 振動電動機
２０ 第２振動篩
２１ 本体
２４ 側壁
２５ 振動電動機
４１ 上流側篩面
４２ 丸棒
４５ａ 傾斜板
４５ｂ 傾斜板
４７ 垂直化ガイド部材
４９ 排除シュート
５１ 下流側篩面
５２ 丸棒
Ｂ びん
Ｃ 缶
Ｍ 雑誌
Ｐ 新聞
【図１】
0003744108.tif 000002
【図２】
0003744108.tif 000003
【図３】
0003744108.tif 000004
【図４】
0003744108.tif 000005
【図５】
0003744108.tif 000006
【図６】
0003744108.tif 000007